(57)【要約】【課題】取り外しの際にウィングが破断したり、下着に接着剤が残ったりすることがなく、スムーズに取り外しができる吸収性物品を提供すること。【解決手段】少なくとも透液性を有するトップシートと、不透液性を有するバックシートと、前記シート間に介在する吸収体とにより物品本体が形成され、該物品本体を着用者の下着に貼着、固定する接着剤面を有する一対のウィングを両側に備えた吸収性物品において、前記物品本体の長手方向先端を前記下着からの剥離開始の作用点としたとき、前記各ウィングの接着剤面の平面形状を前記作用点に頂角が向いた三角模様とする。【選択図】図１
2004290602.tif 000002
【特許請求の範囲】
【請求項１】
少なくとも透液性を有するトップシートと、不透液性を有するバックシートと、前記シート間に介在する吸収体とにより物品本体が形成され、該物品本体を着用者の下着に貼着、固定する接着剤面を有する一対のウィングを両側に備えた吸収性物品において、前記物品本体の長手方向先端を前記下着からの剥離開始の作用点としたとき、前記各ウィングの接着剤面の平面形状を前記作用点に頂角が向いた三角模様としたことを特徴とする吸収性物品。
【請求項２】
前記作用点から前記各ウィングの接着剤面の頂点に向かって引いた作用線により形成される作用角が２０°〜６０°であることを特徴とする請求項１に記載の吸収性物品。
【発明の詳細な説明】
【０００１】
【発明の属する技術分野】
本発明は、ウィングを備えた生理用ナプキン、パンティーライナー等の吸収性物品に関し、さらに詳細には、ウィングを下着あるいは個装フィルムから剥がし易くした吸収性物品に関する。
【０００２】
【従来の技術】
従来、このような吸収性物品、例えば図６に斜視図で、図７に図６のＸ−Ｘ断面図で示すような生理用ナプキン１００は、昼用、夜用等の使用目的により種々の形態のものが知られているが、その基本構成は略同一である。
【０００３】
すなわち、この生理用ナプキン１００は、着用者の身体と接する側より順に透液性を有するトップシート１０１と、不透液性を有するバックシート１０２と、これらのシート間に介在するティッシュ１０３で全体を被覆された吸収体１０４とによりナプキン本体１０５が形成され、このナプキン本体１０５をショーツ等の下着に貼着、固定するための接着剤面１０６を有する一対のウィング１０７を両側に備えている。なお、この生理用ナプキン１００では、ナプキン本体１０４の略中央部には略楕円凹状の体液溜部１０８が設けられ、この幅方向の両側には体液の漏れ防止用の立体ギャザー１０９が設けられている。
【０００４】
このウィング１０７は、使用時にナプキン本体１０５がズレることを防止するもので、着用者の下着の股間部分外面にウィング１０７を折り返し、ズレ止め用の接着剤面１０６で貼着、固定して使用される。ところが、この生理用ナプキン１００を使用後に下着から取り外す際に、剥離力に起因しウィング１０７に剪断力が働くためにナプキン本体１０５が破断することがあり、またウィング１０７の一部が破れ、この破片がズレ止め用の接着剤１０６と共に下着の表面に残ってしまう等の問題があった。特に、ナプキン本体１０５が破断した場合には、破断した部分から体液溜部１０８に溜まっていた経血等の体液が漏れてしまうという問題があった。
【０００５】
そこで、これらの問題を解決するために、例えば、ウィング１０７の接着剤面１０６の接着力を弱くしてウィング１０７の破断の発生を防止したもの、あるいはウィング１０７自体の剛性を高めウィング１０７の操作性を向上させたもの等が提案されている。しかし、ズレ止め用の接着剤面１０６の接着力を弱くすると、生理用ナプキン１００のズレやヨレ防止としての機能がなくなり、逆にウィング１０７自体の剛性を高めると、ゴワゴワして着用者の装着感を損なうという問題があり、本質的な解決策には至らなかった。
【０００６】
そこで、ウィング１０７の接着剤面１０６の接着力を十分な範囲に維持しつつ、この下着との装着面を形成するバックシート１０２と、このバックシート１０２の上に積層されてウィング１０７を形成するトップシート１０１とを、接着剤面１０６の塗設部位において所定の接合強度で接合し、少なくとも２層に積層することにより、破れや裂けを防止した生理用ナプキン１００が提案されている（例えば、特許文献１参照。）。
【０００７】
しかしながら、このような生理用ナプキン１００であっても、図８に背面図で示すように、ウィング１０７の外面の略全域に渡って接着剤面１０６が形成されているため、次のような問題があった。
【０００８】
すなわち、この生理用ナプキン１００を長手方向先端Ｐ０（これを剥離開始の作用点と定義する）を持って下着（あるいは個装フィルム）から剥離する場合に、長手方向に作用する剥離力Ｆ１に対し、接着剤面１０６の接着力Ｆ２が幅方向の中心に向かって作用するため、ウィング１０７の付け根の点Ｐ１，点Ｐ２の部分が破断してしまい、生理用ナプキン１００を下着や個装フィルムからスムーズに剥離することができなかった。
【０００９】
【特許文献１】
特開２００２−６５７４６号公報
【００１０】
【発明が解決しようとする課題】
本発明は、上述したような実情に鑑みてなされたものであり、その目的とするところは、取り外しの際にウィングが破断したり、下着に接着剤が残ったりすることがなく、スムーズに取り外しができる吸収性物品を提供することである。
【００１１】
【課題を解決するための手段】
本発明の上記目的は、少なくとも透液性を有するトップシートと、不透液性を有するバックシートと、前記シート間に介在する吸収体とにより物品本体が形成され、該物品本体を着用者の下着に貼着、固定する接着剤面を有する一対のウィングを両側に備えた吸収性物品において、前記物品本体の長手方向先端を前記下着からの剥離開始の作用点としたとき、前記各ウィングの接着剤面の平面形状を前記作用点に頂角が向いた三角模様としたことを特徴とする吸収性物品を提供することによって、達成される。
【００１２】
また、本発明の上記目的は、前記作用点から前記各ウィングの接着剤面の頂点に向かって引いた作用線により形成される作用角が２０°〜６０°であることを特徴とする吸収性物品を提供することによって、より効果的に達成される。
【００１３】
【発明の実施の形態】
以下、本発明の好ましい実施形態について、図面を参照しながら詳細に説明する。
【００１４】
図１は、本発明の実施例に係る生理用ナプキン２００の展開背面図である。なお、本生理用ナプキン２００は、ウィング２０７及びウィング２０７に塗設される接着剤面２０６の形状を除くその他の構成については、前記生理用ナプキン１００と実質的に同一である。このため、本生理用ナプキン２００では前記生理用ナプキン１００と対応する構成要素については、２００番台の対応する同一番号を付して説明する。
【００１５】
すなわち、本発明に係る生理用ナプキン２００は、前記従来の生理用ナプキン１００と同様に、トップシート２０１と、バックシート２０２と、これらのシート間に介在しティッシュ２０３で全体が被覆された吸収体２０４とによりナプキン本体２０５が形成され、また、このナプキン本体２０５を使用する際に、下着等に固定するための接着剤面２０６が塗設された一対のウィング２０７を備えている。
【００１６】
ここに、トップシート２０１には、体液を吸収体２０４へ透過させる透液性のシートであって、肌着に近い感触を有し、きめが細かく繊維密度が高い素材、例えば不織布等、若しくは液透過性や液戻り防止性に優れている素材、例えばポリエチレン、ポリプロピレン、又は酢酸ビニル重合体等から成る樹脂フィルム等が好ましく用いられる。
【００１７】
一方、バックシート２０２には、吸収体２０４に吸収された体液を外に透過させない不透液性のシートであって、透湿性を有する素材、例えばポリエチレンやポリプロピレン等のオレフィン系樹脂に無機充填材を溶融混練したものを、延伸処理した微多孔性シート等が好ましく用いられる。
【００１８】
また、吸収体２０４には、解繊ポリマーを主体とした高分子ポリマーを併用した物、熱可塑性樹脂、あるいはセルロース繊維等が好ましく用いられる。この吸収体２０４はティッシュ２０３によりその全体が被覆されている。
【００１９】
また、ウィング２０７は、トップシート２０１及びバックシート２０２がその延出部において接合されて形成されており、このウィング２０７における下着との装着面、すなわちバックシート２０２の表面（下面）にはズレ止め用の接着剤面２０６が形成されている。
【００２０】
この接着剤面２０６は、平面形状が略三角形に形成されたウィング２０７の外面に、ナプキン本体２０５の長手方向の先端、すなわち剥離開始の作用点Ｐ０に頂角が向いた三角形状に塗設されている。このように接着剤面２０６を塗設することにより、生理用ナプキン２００を接着剤面２０６の頂角部分から順次剥離し、下着からスムーズに剥がすことができる。このため、ナプキン本体２０５がウィング２０７の付け根部の点Ｐ１，点Ｐ２部分から破断したり、ウィング２０７の一部が破れることを防止できる。
【００２１】
なお、生理用ナプキン２００では、ナプキン本体２０５の製品幅Ｗは女性の股間の幅に合わせて１２ｃｍ〜５ｃｍに設定され、ウィング２０７の付け根までの幅Ｌは、製品幅Ｗの半分の６ｃｍ以下に設定されている。このように設定することにより、ウィング２０７を外側に折り込んだときに、ウィング２０７同士が重なる事を防止することができる。ウィング２０７が重なってしまうと、生理用ナプキン２００を下着から剥がす際に、より大きな力が必要となる。なお、上述したように、ウィング２０７同士が重ならないことが好ましいが、必ずしもこれに限定されるものではない。
【００２２】
【実験例１】
ここで、図１に示す作用角αと単位面積当りの剥離力Ｆ１との関係につき、次のような実験を行った。
【００２３】
ウィング２０７を折り返さずフラットな状態で剥がした場合において、剥離開始の作用点Ｐ０から三角形状の接着剤面２０６の頂角に伸びる作用線Ｒがなす作用角αを変化させて、単位面積当りの剥離力Ｆ１との関係を調べたところ表１のとおりの結果を得た。
【００２４】
【表１】
2004290602.tif 000003
表１から分かるように、従来の生理用ナプキンの単位面積当りの剥離力Ｆ１が０．０５Ｎ／ｍｍ２であったことから、この数値以下の弱い力で剥がすことができる好ましい作用角αは６０゜〜２０°であることが判明した。
【００２５】
【実験例２】
生理用ナプキン２００の作用点Ｐ０からウィング２０７の付け根Ｐ１，Ｐ２までの長さＴと作用角αの好ましい関係につき、作用角α及び長さＴを夫々変化させ、製品幅Ｗが５．０ｃｍ及び１２．０ｃｍの２種類について実験を行った結果、表２及び表３に示すような関係が得られた。
【００２６】
【表２】
2004290602.tif 000004
【表３】
2004290602.tif 000005
なお、女性の臀部を包み込む長さの平均は３８ｃｍであるので、作用点Ｐ０からウィング２０７の付け根Ｐ１，Ｐ２までの長さＴは、その半分の１９ｃｍ以下であることが好ましい。従って、表２及び表３から明らかなように、製品幅Ｗが５．０ｃｍの場合には作用角αは２０°以上６０°以下であること、また製品幅Ｗが１２．０ｃｍの場合には作用角αは４０°以上６０°以下であることが好ましく、このような作用角α内のウィング２０７の外面に接着剤面２０６が塗設されることが好ましい。
【００２７】
以上、本発明の内容を一実施例に基づき説明したが、本発明は次のような変更が可能である。
【００２８】
図２〜図４は、本実施例の変更例に係る生理用ナプキン２００Ａ，２００Ｂ，２００Ｃ，２００Ｄの４つの実施形態を示す展開背面図である。なお、生理用ナプキン２００Ａ，２００Ｂ，２００Ｃ，２００Ｄの夫々は、主としてウィングに塗設される接着剤面の塗設形状及びウィング２０６の形状を除くその他の構成については、前記生理用ナプキン２００と実質的に同一であるので、以下では生理用ナプキン２００と対応する構成要素には同一番号に符号Ａ，Ｂ，Ｃ，Ｄを付して説明する。
【００２９】
図２に示す生理用ナプキン２００Ａは、ウィング２０７Ａに塗設される接着剤面２０６Ａが頂角を作用点Ｐ０に向けた略Ｖ字状に塗設されたものである。このように接着剤面２０６Ａを塗設して成る生理用ナプキン２００Ａでも、前記同様の効果が得られる。また、接着剤面２０６Ａの面積が少なくなるので、接着力が弱められ、より小さな力で剥がすことができると共に、製造コストを低減できる。
【００３０】
図３に示す生理用ナプキン２００Ｂは、ウィング２０７Ｂの平面形状が丸みをもって形成され、このウィング２０７Ｂに塗設される接着剤面２０６Ｂが頂点を作用点Ｐ０に向けて、長手方向に複数本のストライプによって全体が略三角形状に形成されているものである。このような接着剤面２０６Ｂを有する生理用ナプキン２００Ｂでも、前記同様の効果が得られる。
【００３１】
図４に示す生理用ナプキン２００Ｃは、前記生理用ナプキン２００Ｂと同様にウィング２０７Ｃの平面形状が丸みをもって形成され、このウィング２０７Ｃに塗設される接着剤面２０６Ｃが頂点を作用点に向けて、幅方向に複数本のストライプによって全体が略三角形状に形成されているものである。このような接着剤面２０６Ｃを有する生理用ナプキン２００Ｃでも、前記同様の効果が得られる。
【００３２】
図５に示す生理用ナプキン２００Ｄは、ウィング２０７Ｄの形状は前記従来の生理用ナプキン１００と同一であるが、接着剤面２０６Ｄを前記生理用ナプキン２００と同様に三角形状に塗設したものであり、このような生理用ナプキン２００Ｄでも、前記同様の効果が得られる。このように従来の生理用ナプキン１００であっても、ウィング１０７に塗設する接着剤面１０６の塗設形状を変更するだけで、所望の目的を達成することができるので、大規模な設備改造を必要としないという利点がある。
【００３３】
なお、本発明においては、接着剤面の塗設形状はウィングの形状に左右されるものではなく、上述したようにその平面形状が頂角が作用点に向いた三角模様であるもの、好ましくは作用角内に塗設されているものであれば、種々の形状のものが適用可能である。
【００３４】
なお、上記実施例及び変更例では、いずれもトップシートと吸収体の間にセカンドシートがない生理用ナプキンについて説明したが、上述したようなウィングを設ければ、ウィングのないタイプ等の種々の形態の生理用ナプキンについても適用できる。
【００３５】
また、本発明の内容を、吸収性物品が生理用ナプキンを例に説明したが、本発明はこのような生理用ナプキンに限らず、この他パンティーライナー、使い捨て紙おむつ等の公知の吸収性物品についても適用できる。
【００３６】
【発明の効果】
以上に詳述したように、本発明に係る吸収性物品によれば、ウィングに塗設される接着剤面が作用角内に塗設されているので、ナプキン本体を下着や個装フィルムからスムーズに剥がすことができる。また、ウィングを損傷することがなくなるので、体液溜部に溜まった体液の漏れを防止することができるという実用上顕著な効果を奏する。
【図面の簡単な説明】
【図１】本発明の実施例に係る生理用ナプキンの展開背面図である。
【図２】本発明の変更例に係る生理用ナプキンの展開背面図である。
【図３】本発明の変更例に係る生理用ナプキンの展開背面図である。
【図４】本発明の変更例に係る生理用ナプキンの展開背面図である。
【図５】本発明の変更例に係る生理用ナプキンの展開背面図である。
【図６】従来の生理用ナプキンの斜視図である。
【図７】図６のＸ−Ｘ断面図である。
【図８】従来の生理用ナプキンの展開背面図である。
【符号の説明】
１００，２００      生理用ナプキン
１０１，２０１      トップシート
１０２，２０２      バックシート
１０４，２０４      吸収体
１０５，２０５      ナプキン本体
１０６，２０６      接着剤面
１０７，２０７      ウィング
Ｐ０                作用点
Ｒ                  作用線
【図１】
2004290602.tif 000006
【図２】
2004290602.tif 000007
【図３】
2004290602.tif 000008
【図４】
2004290602.tif 000009
【図５】
2004290602.tif 000010
【図６】
2004290602.tif 000011
【図７】
2004290602.tif 000012
【図８】
2004290602.tif 000013